(57)【要約】【課題】ガラスドアの一側とドア枠体の側縁との間に蝶番が介在しない形態のショーケース用ガラスドアのヒンジ構造において、重量の大きいガラスドアであっても軽く開閉することが可能なショーケース用ガラスドアのヒンジ構造。【解決手段】ドア枠体の、ガラスドアの一側が取り付けられる側の下部隅の上面及び上部隅の下面にそれぞれ固定されて立設されている下部挿入ロッド及び、上部挿入ロッドと、ガラスドアの一側の下部隅の下側面及び上部隅の上側面にそれぞれ形成されていて、それぞれ、前記下部挿入ロッドと上部挿入ロッドとに嵌装される下部挿入孔及び上部挿入孔とを備え、下部挿入ロッドに回転自在に嵌装されている回転支持ワッシャーが、ドア枠体のガラスドアの一側が取り付けられる側の下部隅の上面と、ガラスドアの一側の下部隅の下側面との間に介在している状態で下部挿入ロッドに下部挿入孔が嵌装される。【選択図】図２
0003139730.tif 000002
【実用新案登録請求の範囲】
【請求項１】
ガラスドアの一側の下部隅及び上部隅をそれぞれドア枠体の一側の上部隅及び下部隅によって支持し、当該ガラスドアの一側に対向する他側を、当該一側を回転中心として回転させることにより、前記ガラスドアを開閉自在にドア枠体に支持するショーケース用ガラスドアのヒンジ構造であって、
前記ドア枠体の、前記ガラスドアの一側が取り付けられる側の下部隅の上面に固定されて立設されている下部挿入ロッドと、
前記ドア枠体の、前記ガラスドアの一側が取り付けられる側の上部隅の下面に固定されて、前記下部挿入ロッドと対向するように立設されている上部挿入ロッドと、
前記ガラスドアの一側の下部隅の下側面及び上部隅の上側面にそれぞれ形成されていて、それぞれ、前記下部挿入ロッドと上部挿入ロッドとに嵌装される下部挿入孔及び上部挿入孔とを備え、
前記下部挿入ロッドに回転自在に嵌装されている回転支持ワッシャーが、前記ドア枠体の前記ガラスドアの一側が取り付けられる側の下部隅の上面と、前記ガラスドアの一側の下部隅の下側面との間に介在している状態で、前記下部挿入ロッドに前記下部挿入孔が嵌装されている
ことを特徴とするショーケース用ガラスドアのヒンジ構造。
【考案の詳細な説明】
【技術分野】
【０００１】
この考案はショーケース用ガラスドアのヒンジ構造に関する。
【背景技術】
【０００２】
商店やコンビニエンスストア、酒屋などの飲食料品販売店において、飲食料品などの商品が陳列される冷蔵用ショーケースには、ガラスドアの一側縁を蝶番などによってドア枠体の側縁に支持し、当該ガラスドアの一側縁に対向する他側を、当該一側縁を回転中心として回転させることにより、前記ガラスドアをドア枠体に開閉自在に支持する構造のショーケース用ガラスドアが多用されている。
【０００３】
このようにガラスドアの一側縁を蝶番などによってドア枠体の側縁に支持し、当該ガラスドアの一側縁に対向する他側を、当該一側縁を回転中心として回転させる構造のショーケース用ガラスドアにおいては、ガラスドアの一側縁とドア枠体の側縁との間に蝶番が介在する。このため、この蝶番が介在する分だけ、ガラスドアにおけるガラスの面積が小さくなってしまい、冷蔵用ショーケースに陳列されている商品をより広い視界で消費者・購入者に認識させるという点で改善すべき余地があった。
【０００４】
また、前記のようにガラスドアの一側縁を蝶番などによってドア枠体の側縁に支持する構造では、冷蔵用ショーケースに臨む消費者・購入者に蝶番が見えてしまい、美観の点で改善すべき余地があった。
【０００５】
前述したようなショーケース用ガラスドアにおいては、ガラスドアの一側の下部隅及び上部隅をそれぞれドア枠体の一側の上部隅及び下部隅によって支持し、当該ガラスドアの一側に対向する他側を、当該一側を回転中心として回転させることにより、前記ガラスドアを開閉自在にドア枠体に支持するショーケース用ガラスドアも提案されている（例えば、特許文献１、特許文献２）。
【特許文献１】特開平５−３３２０６０号公報
【特許文献２】実開平６−７１８３２号公報
【考案の開示】
【考案が解決しようとする課題】
【０００６】
特許文献１、２記載のショーケース用ガラスドアによれば、ガラスドアの一側縁とドア枠体の側縁との間に蝶番が介在することによる前述した問題点を改善することができる。
【０００７】
しかし、冷蔵用ショーケースなどに使用されるショーケース用ガラスドアの場合、大面積のガラス製であるにもかかわらず冷蔵性能を発揮できるようにする必要があるので、重量が大きくなることがある。この場合、ショーケース用ガラスドアの開閉に力を要することになる。
【０００８】
そこで、この考案は、ガラスドアの一側の下部隅及び上部隅をそれぞれドア枠体の一側の上部隅及び下部隅によって支持し、当該ガラスドアの一側に対向する他側を、当該一側を回転中心として回転させることにより、前記ガラスドアを開閉自在にドア枠体に支持するという、ガラスドアの一側縁とドア枠体の側縁との間に蝶番が介在しない形態のショーケース用ガラスドアのヒンジ構造において、重量の大きいガラスドアであっても軽く開閉することが可能なショーケース用ガラスドアのヒンジ構造を提案することを目的にしている。
【課題を解決するための手段】
【０００９】
前記目的を達成するため、この考案が提案するものは、
ガラスドアの一側の下部隅及び上部隅をそれぞれドア枠体の一側の上部隅及び下部隅によって支持し、当該ガラスドアの一側に対向する他側を、当該一側を回転中心として回転させることにより、前記ガラスドアを開閉自在にドア枠体に支持するショーケース用ガラスドアのヒンジ構造であって、
前記ドア枠体の、前記ガラスドアの一側が取り付けられる側の下部隅の上面に固定されて立設されている下部挿入ロッドと、
前記ドア枠体の、前記ガラスドアの一側が取り付けられる側の上部隅の下面に固定されて、前記下部挿入ロッドと対向するように立設されている上部挿入ロッドと、
前記ガラスドアの一側の下部隅の下側面及び上部隅の上側面にそれぞれ形成されていて、それぞれ、前記下部挿入ロッドと上部挿入ロッドとに嵌装される下部挿入孔及び上部挿入孔とを備え、
前記下部挿入ロッドに回転自在に嵌装されている回転支持ワッシャーが、前記ドア枠体の前記ガラスドアの一側が取り付けられる側の下部隅の上面と、前記ガラスドアの一側の下部隅の下側面との間に介在している状態で、前記下部挿入ロッドに前記下部挿入孔が嵌装されている
ことを特徴とするショーケース用ガラスドアのヒンジ構造である。
【考案の効果】
【００１０】
この考案によれば、ガラスドアの一側の下部隅及び上部隅をそれぞれドア枠体の一側の上部隅及び下部隅によって支持し、当該ガラスドアの一側に対向する他側を、当該一側を回転中心として回転させることにより、前記ガラスドアを開閉自在にドア枠体に支持するという、ガラスドアの一側縁とドア枠体の側縁との間に蝶番が介在しない形態のショーケース用ガラスドアのヒンジ構造において、重量の大きいガラスドアであっても軽く開閉することが可能なショーケース用ガラスドアのヒンジ構造を提供することができる。
【考案を実施するための最良の形態】
【００１１】
以下、添付図面を参照して本考案のショーケース用ガラスドアのヒンジ構造を説明する。
【００１２】
図１は本考案のショーケース用ガラスドアのヒンジ構造が採用されているショーケース用ガラスドアの一例を説明する正面図である。
【００１３】
ガラスドア１ａの一側（図１中、左側）の下部隅及び上部隅がそれぞれドア枠体２に支持され、前記一側を回転中心として回転させることにより、ガラスドア１ａの当該一側に対向する他側（図１中、右側）が開閉自在となるように、ガラスドア１ａがドア枠体２に支持されている。
【００１４】
同様に、ガラスドア１ｂの一側（図１中、右側）の下部隅及び上部隅がそれぞれドア枠体２に支持され、前記一側を回転中心として回転させることにより、ガラスドア１ｂの当該一側に対向する他側（図１中、左側）が開閉自在となるように、ガラスドア１ｂがドア枠体２に支持されている。
【００１５】
本考案のショーケース用ガラスドアのヒンジ構造は、図１において、ガラスドア１ａの一側（図１中、左側）の下部隅及び上部隅がそれぞれドア枠体２に支持されている部分及び、ガラスドア１ｂの一側（図１中、右側）の下部隅及び上部隅がそれぞれドア枠体２に支持されている部分に配備されるものであるが、両者は左右対称になっている点を除けば、同一構造であるので、以下、図１において、ガラスドア１ｂの一側（図１中、右側）の下部隅及び上部隅がそれぞれドア枠体２に支持されている部分に配備されている本考案のショーケース用ガラスドアのヒンジ構造について説明する。
【００１６】
本考案のショーケース用ガラスドアのヒンジ構造においては、ドア枠体２の、ガラスドア１ｂの一側（図１中、右側）が取り付けられる側の下部隅の上面２ａに下部挿入ロッド３ａが固定されて立設されている。
【００１７】
また、ドア枠体２の、ガラスドア１ｂの一側（図１中、右側）が取り付けられる側の上部隅の下面２ｂに上部挿入ロッド３ｂが固定されて立設されている。
【００１８】
一方、ガラスドア１ｂの一側（図１中、右側）の下部隅の下側面１ｃには、下部挿入ロッド３ａに嵌装される下部挿入孔４ａが形成されている。
【００１９】
また、ガラスドア１ｂの一側（図１中、右側）の上部隅の上側面１ｄには、上部挿入ロッド３ｂに嵌装される上部挿入孔４ｂが形成されている
ガラスドア１ｂの下部挿入孔４ａ、上部挿入孔４ｂが、それぞれ、ドア枠体２に立設されている下部挿入ロッド３ａ、上部挿入ロッド３ｂに嵌装されることにより、ガラスドア１ｂの一側（図１中、右側）の下部隅及び上部隅がそれぞれドア枠体２に支持され、前記一側を回転中心として回転させることにより、ガラスドア１ｂの当該一側に対向する他側（図１中、左側）が開閉自在となるように、ガラスドア１ｂがドア枠体２に支持されることになる。
【００２０】
本考案のショーケース用ガラスドアのヒンジ構造においては、下部挿入ロッド３ａに回転自在に嵌装されている回転支持ワッシャー５が、ドア枠体２のガラスドア１ｂの一側（図１中、右側）が取り付けられる側の下部隅の上面２ａと、ガラスドア１ｂの一側（図１中、右側）の下部隅の下側面１ｃとの間に介在している状態で、下部挿入ロッド３ａに下部挿入孔４ａが嵌装されている。
【００２１】
これによって、ガラスドア１ｂの下部挿入孔４ａ、上部挿入孔４ｂが、それぞれ、ドア枠体２に立設されている下部挿入ロッド３ａ、上部挿入ロッド３ｂに嵌装されることにより、ガラスドア１ｂの一側（図１中、右側）の下部隅及び上部隅がそれぞれドア枠体２に支持されると共に、ガラスドア１ｂの一側（図１中、右側）の下部隅の下側面１ｃは、下部挿入ロッド３ａに回転自在に嵌装されている回転支持ワッシャー５に支持された状態で、ドア枠体２のガラスドア１ｂの一側（図１中、右側）が取り付けられる側の下部隅の上面２ａ上に搭載されることになる。そこで、ガラスドア１ｂの重量が大きい場合であっても、軽く開閉することができる。
【００２２】
図２は、本考案のショーケース用ガラスドアのヒンジ構造におけるドア枠体２の、図１中、右下部分における構造の一例を説明する斜視図である。
【００２３】
ドア枠体２の、ガラスドア１ｂの一側（図１中、右側）が取り付けられる側の下部隅の上面２ａに下部挿入ロッド３ａを固定、立設するにあたっては、図２図示のように、ドア枠体２のガラスドア１ｂの一側（図１中、右側）が取り付けられる側の下部隅からドアの中央側（図２中、左下方向）に向かって延びる支持座金８ａを、ドア枠体２の上面２ａに固定的に取り付けると共に、この支持座金８ａの隅側に、図２図示のように、下部挿入ロッド３ａを固定して立設する。
【００２４】
なお、支持座金８ａに対向するように、ガラスドア１ｂの下部隅の下側面１ｃに支持座金８ａに対応する形状の支持座金８ｂを取り付け、支持座金８ｂの隅側に、下部挿入ロッド３ａに嵌装される下部挿入孔４ａを形成することができる。
【００２５】
このように、隅側（図１中、右端側）からドアの中央側（図２中、左下方向）に向かって延びる支持座金８ａ、支持座金８ｂを、ドア枠体２の、ガラスドア１ｂの一側（図１中、右側）が取り付けられる側の下部隅の上面２ａ、ガラスドア１ｂの下部隅の下側面１ｃにそれぞれ固定し、これを介して下部挿入ロッド３ａ、下部挿入孔４ａが形成されていることにより、支持部の補強を図ることができる。
【００２６】
図３は、本考案のショーケース用ガラスドアのヒンジ構造における取り付け構造の一例を分解して説明する斜視図である。
【００２７】
図２に例示した、本考案のショーケース用ガラスドアのヒンジ構造におけるドア枠体２の、図１中、右下部分における構造の一例では、前述したように、支持座金８ａをドア枠体２の上面２ａに固定的に取り付け、この支持座金８ａの隅側に下部挿入ロッド３ａを固定して立設する。
【００２８】
そして、図３図示の例では、いずれも中央孔を有する溝付ワッシャー７、ベアリングワッシャー６、回転支持ワッシャー５がこの順序で下部挿入ロッド３ａに嵌装されることにより、回転支持ワッシャー５が下部挿入ロッド３ａに回転自在に嵌装される。
【００２９】
また、図３図示の例では、ガラスドア１ｂの下部隅の下側面１ｃに固定される支持座金８ｂの隅部に孔１０が形成され、この孔１０内に装入される支持環９の中央に形成されている中央孔が下部挿入孔４ａとして利用されることになる。支持環９を図３中、上側から下側に向けて、支持座金８ｂの隅部に形成されている孔１０に装入し、図３中、支持座金８ｂの上側を、ガラスドア１ｂの下部隅の下側面１ｃに固定する。こうして、ガラスドア１ｂの一側（図１中、右側）の下部隅の下側面１ｃに、下部挿入ロッド３ａに嵌装される下部挿入孔４ａが形成される。
【００３０】
詳細を図示していないが、本考案のショーケース用ガラスドアのヒンジ構造におけるドア枠体２の、図１中、右上部分における構造（ドア枠体２の、ガラスドア１ｂの一側（図１中、右側）が取り付けられる側の上部隅の下面２ｂに固定、立設される上部挿入ロッド３ｂの構造）及び、ガラスドア１ｂの上部隅の上側面１ｄに形成される上部挿入孔４ｂの構造は、前述した本考案のショーケース用ガラスドアのヒンジ構造におけるドア枠体２の、図１中、右下部分における構造（ドア枠体２の、ガラスドア１ｂの一側（図１中、右側）が取り付けられる側の下部隅の上面２ａに固定、立設される下部挿入ロッド３ａの構造）及び、ガラスドア１ｂの下部隅の下側面１ｃに形成される下部挿入孔４ａの構造と、天地対称にして形成することができる。
【００３１】
ただし、ガラスドア１ｂの下部挿入孔４ａ、上部挿入孔４ｂが、それぞれ、ドア枠体２に立設されている下部挿入ロッド３ａ、上部挿入ロッド３ｂに嵌装されることにより、ガラスドア１ｂの一側（図１中、右側）の下部隅及び上部隅がそれぞれドア枠体２に支持されるときに、ガラスドア１ｂの重量は主に下部の支持構造部によって支持されるので、ガラスドア１ｂの一側（図１中、右側）の下部隅の下側面１ｃが、下部挿入ロッド３ａに回転自在に嵌装されている回転支持ワッシャー５に支持された状態で、ドア枠体２のガラスドア１ｂの一側（図１中、右側）が取り付けられる側の下部隅の上面２ａ上に搭載されるようになれば、ガラスドア１ｂの重量が大きい場合であっても、軽く開閉することができる。
【００３２】
そこで、上部の支持構造においては、回転支持ワッシャー５がガラスドア１ｂの一側（図１中、右側）の上部隅の上側面１ｄと、ドア枠体２のガラスドア１ｂの一側（図１中、右側）が取り付けられる側の上部隅の下面２ｂとの間に介在されていない構造にすることができる。
【００３３】
以上、添付図面を参照して本考案の好ましい実施形態を説明したが、本考案はかかる実施形態に限られるものではなく、実用新案登録請求の範囲の記載から把握される技術的範囲において種々の形態に変更可能である。
【図面の簡単な説明】
【００３４】
【図１】本考案のショーケース用ガラスドアのヒンジ構造が採用されているショーケース用ガラスドアの一例を表す正面図。
【図２】本考案のショーケース用ガラスドアのヒンジ構造におけるドア枠体の図１中右下部分における構造の一例を表す斜視図。
【図３】本考案のショーケース用ガラスドアのヒンジ構造における取り付け構造の一例を分解して説明する斜視図。
【符号の説明】
【００３５】
１ａ、１ｂ  ガラスドア
１ｃ  ガラスドアの一側の下部隅の下側面
１ｄ  ガラスドアの一側の上部隅の上側面
２  ドア枠体
２ａ  ドア枠体のガラスドアの一側が取り付けられる側の下部隅の上面
２ｂ  ドア枠体のガラスドアの一側が取り付けられる側の上部隅の下面
３ａ  下部挿入ロッド
３ｂ  上部挿入ロッド
４ａ  下部挿入孔
４ｂ  上部挿入孔
【図１】
0003139730.tif 000003
【図２】
0003139730.tif 000004
【図３】
0003139730.tif 000005